(57)【要約】【課題】光ファイバー心線３の配置に方向性を有する光ケーブル１の光ファイバー心線３を、光コネクタ８のフェルール７に保持する際に、フェルールと光ケーブルの軸回り回動位置決めが正確に行えるようにする。【解決手段】非円形断面の光ケーブル１を、筒状のクランプ１３及び円筒状のストッパ１５に通し、クランプの円筒状の先端を前記ストッパに被せ、ストッパの先端外面に形成された凸部２１に、かしめを行うダイス２３に形成された凹部２５を嵌合して、クランプ１３をかしめる。よって、ダイス２３とストッパ１５の軸回り回動位置決めがなされ、光ケーブル１とダイス２３の凹型２９が嵌合することで、光ケーブルとダイスの回動位置決めがなされる。ストッパ１５とフェルールの回動位置は固定されているので、よって、フェルールと光ケーブル１の回動位置の位置決めが正確に行える。【選択図】　図１
2004077603.tif 000002
【特許請求の範囲】
【請求項１】
光ファイバの配置が横断面内で方向性を有する非円形断面の光ケーブルと、この光ケーブルに被せられ後端がかしめられて光ケーブルの把持を行う筒状のクランプと、このクランプの円筒状の先端が被せられかしめられる円筒状のストッパと、このストッパの外面に形成され前記かしめを行うダイスに形成された凹部に嵌合して位置決めをする凸部と、前記ストッパが係合する筒状のコネクタフレームと、このコネクタフレームに内蔵され、前記クランプ、ストッパ、及びコネクタフレームを通過した光ケーブルの光ファイバが接着固定されるフェルールと、を有することを特徴とする光コネクタのクランプとストッパの位置決め機構。
【請求項２】
前記凸部は、前記ストッパの円筒状の先端外側の両側面に形成されたことを特徴とする請求項１に記載の光コネクタのクランプとストッパの位置決め機構。
【請求項３】
光ケーブルに被せられ後端がかしめられて光ケーブルの把持を行う筒状クランプを両側からかしめる両ダイスと、両ダイスに形成され前記クランプの円筒状先端に対応する半円柱状の凹型と、この凹型の両端に形成される前記凹部を有するかしめ用ペンチ。
【請求項４】
光ファイバの配置が断面内で方向性を有する非円形断面の光ケーブルを、筒状のクランプ及び円筒状のストッパに通す工程と、前記クランプの円筒状の先端を前記ストッパに被せる工程と、前記ストッパの先端外面に形成された凸部に、かしめを行うダイスに形成された凹部を嵌合して、クランプをかしめ、位置決めをする工程と、を有することを特徴とする光コネクタのクランプとストッパの位置決め方法。
【発明の詳細な説明】
【０００１】
【発明の属する技術分野】
この発明は、光ファイバの配置が横断面内で方向性を有する非円形断面の光ケーブルを接続する光コネクタに係り、特に、この光コネクタのクランプとストッパの軸回り回動位置を位置決めする技術に関する。
【０００２】
【従来の技術】
フェルールを有する光コネクタは、光通信の中心となる部品であり、光ファイバ同士や光ファイバと受発光素子を正確に接続するのに必要である。例えば、光コネクタ同士の接続は、光ファイバを保持する２本のフェルールを筒状のコネクタフレームの中で突き合わせることにより行う。
【０００３】
この場合に、光ケーブルの光ファイバーを光コネクタのフェルールで保持するには、以下のように行われる。
すなわち、光ケーブルに筒状のクランプが被せられ、クランプの後端がかしめられて光ケーブルの把持を行う。このクランプの円筒状の先端は、円筒状のストッパに被せられかしめられる。二つのかしめは、かしめ用のペンチで行われる。このストッパは筒状のコネクタフレームに係合する。このコネクタフレームには、光ファイバー心線が束ねられたテープ心線が成端されたフェルールが内蔵される。そして、このフェルールに対し、前記クランプ、ストッパ、及びコネクタフレームを通過した光ケーブルの光ファイバー心線が、固定される。
【０００４】
【発明が解決しようとする課題】
例えば、光ケーブルの円形横断面内の中心に光ファイバー心線が配置される場合、つまり配置に方向性を有さない光ケーブルの場合には、接続の際に軸回り回動位置が問題になることはない。
しかしながら、例えば光ケーブルの横断面内で光ファイバー心線が２本並んで配置されるなど、配置に方向性を有する光ケーブルの場合には、軸回り回動位置の位置決めが問題になる。
【０００５】
例えば、第一の方向である、フェルールのテープ心線を構成する各光ファイバー心線の中心軸を結んだ方向と平行な方向と、第二の方向である、光ケーブルの横断面内で光ファイバー心線の中心軸を結んだ方向と平行な方向と、を一致させる必要がある。
この一致がなされないと、光ファイバーの心線に不用意な曲げやねじれが生じ、光伝送特性に悪影響を与える恐れがあった。
【０００６】
この発明は、以上の課題を解決するためになされたもので、光ファイバー心線の配置に方向性を有する光ケーブルの光ファイバー心線を、光コネクタのフェルールに保持する際に、フェルールと光ケーブルの軸回り回動位置の位置決めが正確に行え、よって光ファイバー心線に不用意な曲げやねじれが生じ難い、光コネクタのクランプとストッパの位置決め機構、位置決め機構、及び位置決めに用いられるかしめ用ペンチを提供することを目的とする。
【０００７】
【課題を解決するための手段】
以上の課題を解決するために、第一の発明は、光ファイバー心線の配置が横断面内で方向性を有する非円形断面の光ケーブルと、この光ケーブルに被せられ後端がかしめられて光ケーブルの把持を行う筒状のクランプと、このクランプの円筒状の先端が被せられかしめられる円筒状のストッパと、このストッパの外面に形成され前記かしめを行うダイスに形成された凹部に嵌合して位置決めをする凸部と、前記ストッパが係合する筒状のコネクタフレームと、このコネクタフレームに内蔵され、前記クランプ、ストッパ、及びコネクタフレームを通過した光ケーブルの光ファイバー心線が接着固定されるフェルールと、を有することを特徴とする光コネクタのクランプとストッパの位置決め機構である。
【０００８】
第二の発明は、前記凸部は、前記ストッパの円筒状の先端外側の両側面に形成されたことを特徴とする光コネクタのクランプとストッパの位置決め機構である。
【０００９】
第三の発明は、光ケーブルに被せられ後端がかしめられて光ケーブルの把持を行う筒状クランプを両側からかしめる両ダイスと、両ダイスに形成され前記クランプの円筒状先端に対応する半円柱状の凹型と、この凹型の両端に形成される前記凹部を有するかしめ用ペンチである。
【００１０】
第四の発明は、光ファイバー心線の配置が断面内で方向性を有する非円形断面の光ケーブルを、筒状のクランプ及び円筒状のストッパに通す工程と、前記クランプの円筒状の先端を前記ストッパに被せる工程と、前記ストッパの先端外面に形成された凸部に、かしめを行うダイスに形成された凹部を嵌合して、クランプをかしめ、位置決めをする工程と、を有することを特徴とする光コネクタのクランプとストッパの位置決め方法である。
【００１１】
【発明の実施の形態】
この発明の実施の形態を、図１〜図１０に示す。
［光ケーブル］
図１０に示すように、この発明で扱われる光ケーブル１は、横断面内に複数の光ファイバー心線３を有し、各光ファイバー心線３は光ケーブル１の横断面内で横方向に直線的に配置され、従って、この配置は横断面内で方向性を有する。光ケーブル１の横断面外形も、前記横方向に長く、従って非円形断面であり、方向性を有する。
【００１２】
このように方向性を有する光ケーブル１には、図１０に示すように複数の種類があり、この実施形態では、同図（Ａ）に示すドロップケーブル（１）が用いられる。このドロップケーブル（１）は、光ファイバー心線３とケーブルシース５が密着しており、特に、光ファイバー心線３に不用意な曲げやねじれを生じないよう内容にする必要がある。
【００１３】
［光コネクタの構造］
図２において、例えば、光ケーブル１同士の接続は、光ファイバを保持する２本のフェルール７を、光コネクタ８の筒状のコネクタフレーム９の中で（図２中左端で）突き合わせることにより行う。
【００１４】
この場合に、光ケーブル１の光ファイバー心線３はコネクタフレーム９内部のフェルール７で保持される。フェルール７では、光ファイバーが束ねられたテープ心線１１が成端される。このフェルール７には光ファイバー心線３の本数分の溝があり、光ケーブル１の光ファイバー心線３が、一括して接着固定される。
【００１５】
この光ケーブル１には、筒状のクランプ１３が被せられる。図６に示すように、クランプ１３の後端１３ａは、光ケーブル１の非円形断面の外形に概略応じた非円形断面の内形を有し、先端１３ｂは、ストッパ１５の後半の円筒状に概略応じた円筒状の内形を有する。
【００１６】
このクランプ１３の後端１３ａがかしめられて、非円形断面の光ケーブル１の外表面にクランプ１３の後端１３ａが密着して、光ケーブル１の把持を行う。このクランプ１３の円筒状の先端１３ｂは、円筒状のストッパ１５の後半の滑り止めの部分１５ａ（図５（Ａ）（Ｄ））に被せられ、かしめられ密着して、ストッパ１５への把持を行う。
【００１７】
ストッパ１５の図２中上下には、係合用のアーム部１５ｂが一対設けられる。このアーム部１５ｂの先端のヤジリ状の係止突起１５ｃが、コネクタフレーム９の後端から侵入し内部から側面の係止孔１７に、アーム部１５ｂの弾性により係合する。そしてコネクタフレーム９側に設けられたコイルバネ１９が、ストッパ１５を侵入方向と反対方向に押し返し、係合を確実にしている。
【００１８】
そして、ストッパ１５の円筒状の後半部外側の両側面には、図２中左右に、凸部２１が形成される。この凸部２１は、前記かしめを行うダイス２３（図３、図７）に形成された凹部２５に嵌合する形状を有する。この嵌合により軸回りの回動位置の位置決めが行われる。
このようにして、光ケーブル１の光ファイバー心線３は、クランプ１３、ストッパ１５、及びコネクタフレーム９を通過し、フェルール７に接着固定された状態になる。
【００１９】
［かしめ用ペンチ］
図３に示すように、クランプ１３を両側からかしめるペンチ２７は、先端の両側に一対の前述したダイス２３を有する。図７に示すように、各ダイス２３は、かしめ作用を果たすための凹型２９が形成され、この凹型２９はクランプ１３の円筒状の先端に対応する半円柱状部分２９ａと光ケーブル１の非円形断面に対応する非円形状部分２９ｂとを有する。
【００２０】
この凹型の半円柱状部分２９ａの両端には、ストッパ１５の凸部２１に嵌合する凹部２５が形成される。
そして図３において、このペンチ２７の取っ手３１を握ると、回動軸３３回りに回動が起き、てこの原理により、先端の両ダイス２３がクランプ１３を強く押圧し、かしめを行う。
【００２１】
［かしめ（位置決め）手順］
かしめを行う手順は次のようになる。
まず、ドロップケーブル（図１０（Ａ））、すなわち光ファイバー心線３の配置が断面内で方向性を有する非円形断面の光ケーブル１の一種を、光コネクタ８の筒状のクランプ１３及び円筒状のストッパ１５に通す（図１）。次に、クランプ１３の円筒状の先端を、ストッパ１５に被せる（図４）。そして、かしめ用ペンチ２７でかしめを行う（図４、図８）。このとき、ストッパ１５の先端外面に形成された凸部２１に、かしめ用ペンチ２７のダイス２３に形成された凹部２５を嵌合した状態で（図４（Ｂ）、図８（Ａ）（Ｂ））、クランプ１３をかしめる（図８（Ｂ）（Ｃ））。すると、ダイス２３とストッパ１５の軸回り回動位置の位置決めが行われる（図８（Ｃ））。
【００２２】
（実施形態の作用効果）
以上説明したように、かしめを行う際に、ダイス２３に形成された凹部２５に、ストッパ１５の先端外面に形成された凸部２１を嵌合させることで、ダイス２３とストッパ１５の軸回り回動位置の位置決めがなされる。そして、非円形断面の光ケーブル１とダイス２３の凹型２９の非円形状部分２９ｂが嵌合することで、光ケーブル１とダイス２３の軸回り回動位置の位置決めがなされる。また、ストッパ１５とフェルール７の軸回り回動位置は固定されている。これらのことから、フェルール７と光ケーブル１の軸回り回動位置の位置決めが正確に行える。これにより、光ケーブル１の光ファイバー心線３に不用意な曲げやねじれが生じ難く、光伝送特性に悪影響を与える恐れを回避できる。
【００２３】
図９において、効果の比較を行う。
すなわち、前記凹部２５と凸部２１を設けず、従ってダイス２３とストッパ１５の軸回り回動位置の位置決めがなされない場合には、図９（Ａー１）、（Ｂ−１）に示すように、ねじれが生じる。つまり、第一の方向である、フェルール７のテープ心線１１を構成する各光ファイバー心線１２の中心軸を結んだ方向と平行な方向（同図（Ａ−２））と、第二の方向である、光ケーブル１の横断面内で光ファイバー心線３の中心軸を結んだ方向と平行な方向（同図（Ａー１））が一致しないことが起きる。
【００２４】
これに対し、この本発明の実施形態では、前記凹部２５と凸部２１を設け、ダイス２３とストッパ１５の軸回り回動位置の位置決めがなされるので、図９（Ａー２）、（Ｂ−２）に示すように、ねじれは生じない。つまり、前記第一の方向と前記第二の方向が一致する。
【００２５】
（他の実施形態）
以上の実施形態においては、光ケーブルはドロップケーブルと呼ばれるもの（図１０（Ａ））を例に説明したが、他の実施形態においては、他の形態の光ケーブル（　図１０（Ｂ））が本発明の対象になる。すなわち、光ファイバー心線の配置が横断面内で方向性を有する非円形断面の光ケーブルであれば（　図１０（Ｂ））
本発明で扱うことができる。
【００２６】
また、以上の実施形態においては、ダイス２３はペンチ２７に取り付けられたものであったが、他の実施形態においては、ペンチでなく専用の治具に設けられるものであっても、もちろん構わない。
【００２７】
【発明の効果】
以上説明したように、この発明によれば、かしめを行うダイスに形成された凹部に、ストッパの先端外面に形成された凸部を嵌合させることで、ダイスとストッパの軸回り回動位置の位置決めがなされ、非円形断面の光ケーブルとダイスの凹型が嵌合することで、光ケーブルとダイスの軸回り回動位置の位置決めがなされる。ストッパとフェルールの軸回り回動位置は固定されているので、よって、フェルールと光ケーブルの軸回り回動位置の位置決めが正確に行える。これにより、光ファイバー心線に不用意な曲げやねじれが生じ難く、光伝送特性に悪影響を与える恐れを回避できる。
【図面の簡単な説明】
【図１】この発明の位置実施形態に係るかしめの作業を示す斜視図である。
【図２】図１のかしめを行う光コネクタと光ケーブルの状態を示す図で、
（Ａ）は全体順断面図
（Ｂ）は（Ａ）の一部拡大図
（Ｃ）は（Ａ）の右端面図
（Ｄ）は（Ａ）の左端面図
（Ｅ）は（Ａ）のＥ−Ｅ断面図である。
【図３】図１のかしめを行うペンチを示す図である。
【図４】図１の要部を示すもので、
（Ａ）は図１の要部の平面図
（Ｂ）は（Ａ）のＢ−Ｂ断面図
（Ｃ）は（Ａ）の右端面図
（Ｄ）は（Ａ）に用いられるクランプの外観図
（Ｅ）は（Ｄ）の左端面図
（Ｆ）は（Ｄ）の右端面図である。
【図５】図２のストッパを示すもので、
（Ａ）は平面図
（Ｂ）は右端面図
（Ｃ）は左端面図
（Ｄ）は正面図である。
【図６】図２のクランプを示すもので、
（Ａ）は一部を断面にした平面図
（Ｂ）は右端面図
（Ｃ）は左端面図
（Ｄ）は一部を断面にした正面図である。
【図７】図１のかしめを行うダイスを示すもので、
（Ａ）は平面図
（Ｂ）は右端面図
（Ｃ）は左端面図
（Ｄ）は縦断面の正面図である。
【図８】図４（Ｂ）のかしめ動作を示す連続図で、
（Ａ）はかしめの前期を示す図
（Ｂ）はかしめの中期を示す図
（Ｃ）はかしめの後期を示す図である。
【図９】本発明の実施形態のかしめ動作の効果を示すもので、
（Ａ−１）は比較例としての従来のストッパ部分の断面図
（Ａ−２）は本発明の実施例としてのストッパ部分の断面図
（Ｂ−１）は比較例としての従来のフェルール部分の断面図
（Ｂ−２）は本発明の実施例のフェルール部分の断面図である。
【図１０】本発明で扱われる光ケーブルの断面図であり、
（Ａ）は本実施形態の光ケーブルの断面図
（Ｂ）は他の実施形態の光ケーブルの断面図である。
【符号の説明】
１　光ケーブル
３　光ファイバー心線
５　　ケーブルシース
７　　フェルール
８　光コネクタ
９　コネクタフレーム
１１　　テープ心線
１３　クランプ
１３ａ　クランプの後端
１３ｂ　クランプの先端
１５　ストッパ
１５ａ　滑り止めの部分
１５ｂ　　係合用のアーム部
１５ｃ　係止突起
１７　係止孔
１９　コイルバネ
２１　凸部
２３　ダイス
２５　凹部
２７　　ペンチ
２９　凹型
３１　取っ手
３３　回動軸
【図１】
2004077603.tif 000003
【図２】
2004077603.tif 000004
【図３】
2004077603.tif 000005
【図４】
2004077603.tif 000006
【図５】
2004077603.tif 000007
【図６】
2004077603.tif 000008
【図７】
2004077603.tif 000009
【図８】
2004077603.tif 000010
【図９】
2004077603.tif 000011
【図１０】
2004077603.tif 000012